(57)【要約】【課題】ＦＰＣを雌型コネクタに挿入するだけで簡単に接続することができ、しかも、必要に応じて、ＦＰＣを雌型コネクタから容易に取り外すことができるデタッチャブルコネクタを提供する。【解決手段】雄型コネクタ１と雌型コネクタ４とを備える。ＦＰＣ３００を雌型コネクタ４のＦＰＣ挿入溝６挿入すると、雌型接触子７の第２接触部７２がＦＰＣ３００の回路トレースの端子部３０１に接触する。同時に、ロック機構８が機能して、舌片８１がＦＰＣ３００の孔８０に係合し、ＦＰＣ３００がロック状態になる。そして、舌片８１を孔８０から外すことで、ＦＰＣ３００を雌型コネクタ４から抜くことができる。また、雄型コネクタ１の凸部２を雌型コネクタ４の凹部５内に嵌め込むことで、雄型接触子３と雌型接触子７とが接触し、ＦＰＣ３００と基板Ｐとがこのデタッチャブルコネクタを介して電気的に接続した状態になる。【選択図】      図１
2004281109.tif 000002
【特許請求の範囲】
【請求項１】
凸部の側面に露出した雄型接触子を有する雄型コネクタと、この雄型コネクタの凸部が嵌合可能な凹部を有し且つこの凹部内に露出して上記雄型接触子に接触させるための雌型接触子を有する雌型コネクタとを具備したデタッチャブルコネクタにおいて、
上記雌型コネクタに、上記凹部側に開口した接触子収納室と、この接触子収納室の下部を通過するＦＰＣ挿入溝とを設け、
上記雌型接触子を上記接触子収納室内に収納して、当該雌型接触子の先端部側に形成された第１接触部を、上記雄型コネクタの上記雄型接触子に接触するように凹部内に露出させると共に、雌型接触子の基部側に形成された第２接触部を、上記ＦＰＣ挿入溝内に挿入されたＦＰＣの回路トレースに接触するようにＦＰＣ挿入溝内に突出させた、
ことを特徴とするデタッチャブルコネクタ。
【請求項２】
請求項１に記載のデタッチャブルコネクタにおいて、
上記ＦＰＣの両側部に穿設された一対の孔と、上記雌型コネクタの両側部であって上記ＦＰＣ挿入溝が通過する個所に設けられ且つ上記ＦＰＣがＦＰＣ挿入溝内に挿入されたときに上記一対の孔に係合する突起を有した一対の舌片とを備えるロック機構を設けた、
ことを特徴とするデタッチャブルコネクタ。
【発明の詳細な説明】
【０００１】
【発明の属する技術分野】
この発明は、接触子同士の接触，非接触を繰り返し行うことができるデタッチャブルコネクタに関し、特にＦＰＣ（フレキシブルプリント基板）と他の基板との間を電気的に接続するためのデタッチャブルコネクタに関するものである。
【０００２】
【従来の技術】
車載用音響機器などの機器の中には、盗難防止を図るために、ディスプレイ，チューナ回路，制御回路を内蔵した制御ブロック部分を機器本体から単独で取り出せるようにしたものがある。
このような機器のコネクタでは、接触子同士の切り離しと接続とを頻繁に行う必要があるため、当該機器用コネクタとして、いわゆるデタッチャブルコネクタといわれるものが採用されている。
従来、この種のデタッチャブルコネクタとして、例えば特許文献１に記載の技術がある。
図１３は、従来例に係るデタッチャブルコネクタを示す縦断面図である。
このデタッチャブルコネクタは、自動車用ステレオの操作パネル部の基板Ａに取り付けられる雄型コネクタ１００と、自動車用ステレオの本体部の基板Ｂに取り付けられる雌型コネクタ２００とで構成されている。そして、雌型コネクタ２００は、凹部２１１が形成された雌型ボディ２１０と、凹部２１１の内側に露出する合計１２個の雌型接触子２２０とを有し、対して、雄型コネクタ１００は、凹部２１１に対応する凸部１１１が形成された雄型ボディ１１０と、凸部１１１の側面に露出する合計１２個の雄型接触子１２０とを有している。
これにより、雄型コネクタ１００の凸部１１１を雌型コネクタ２００の凹部２１１に嵌めると、雄型接触子１２０が雌型接触子２２０に接触して、基板Ａと基板Ｂとを電気的に接続する。また、雄型コネクタ１００を雌型コネクタ２００から抜くことで、自動車用ステレオの操作パネルを自動車用ステレオの本体部から取り外すことができる。
【０００３】
【特許文献１】
実開平６−０１１２６８号公報
【０００４】
【発明が解決しようとする課題】
しかし、上記した従来のデタッチャブルコネクタでは、次のような問題がある。
このデタッチャブルコネクタでは、雌型コネクタ２００の雌型接触子２２０を本体側の基板Ｂの孔に挿通し、半田付けして、基板Ｂを雌型コネクタ２００に固定した構造であるので、基板Ｂの雌型コネクタ２００への取付作業に時間を要し、また、基板Ｂを雌型コネクタ２００から取り外す必要性が生じた場合においても、基板Ｂを雌型コネクタ２００から容易に取り外すことができない。特に、基板ＢとしてＦＰＣを使用する場合には、ＦＰＣが雌型コネクタ２００に挿抜自在に取り付けられることが要求されるので、このデタッチャブルコネクタでは、かかる要求に応えることができない。
【０００５】
この発明は上述した課題を解決するためになされたもので、ＦＰＣを雌型コネクタに挿入するだけで簡単に接続することができ、しかも、必要に応じて、ＦＰＣを雌型コネクタから容易に取り外すことができるデタッチャブルコネクタを提供することを目的とするものである。
【０００６】
【課題を解決するための手段】
上記課題を解決するために、請求項１の発明は、凸部の側面に露出した雄型接触子を有する雄型コネクタと、この雄型コネクタの凸部が嵌合可能な凹部を有し且つこの凹部内に露出して雄型接触子に接触させるための雌型接触子を有する雌型コネクタとを具備したデタッチャブルコネクタにおいて、雌型コネクタに、凹部側に開口した接触子収納室と、この接触子収納室の下部を通過するＦＰＣ挿入溝とを設け、雌型接触子を接触子収納室内に収納して、当該雌型接触子の先端部側に形成された第１接触部を、雄型コネクタの雄型接触子に接触するように凹部内に露出させると共に、雌型接触子の基部側に形成された第２接触部を、ＦＰＣ挿入溝内に挿入されたＦＰＣの回路トレースに接触するようにＦＰＣ挿入溝内に突出させた構成としてある。
かかる構成により、雄型コネクタの凸部を雌型コネクタの凹部に嵌合させると、凸部の側面に露出した雄型接触子が、雌型コネクタの接触子収納室に収納された雌型接触子の第１接触部に接触する。この状態で、ＦＰＣをＦＰＣ挿入溝内に挿入すると、ＦＰＣの回路トレースが雌型接触子の第２接触部と接触する。この結果、基板が雄型コネクタに接続されている場合には、この基板とＦＰＣとがデタッチャブルコネクタを介して電気的に接続する。また、ＦＰＣをＦＰＣ挿入溝から引き抜くことで、ＦＰＣを雌型コネクタから取り外すことができる。
【０００７】
特に、請求項２の発明は、請求項１に記載のデタッチャブルコネクタにおいて、ＦＰＣの両側部に穿設された一対の孔と、雌型コネクタの両側部であってＦＰＣ挿入溝が通過する個所に設けられ且つＦＰＣがＦＰＣ挿入溝内に挿入されたときに一対の孔に係合する突起を有した一対の舌片とを備えるロック機構を設けた構成としてある。
かかる構成により、ＦＰＣをＦＰＣ挿入溝内に挿入すると、雌型コネクタに設けられた舌片の突起がＦＰＣの孔に係合し、ＦＰＣロックして、ＦＰＣの回路トレースと雌型接触子との電気的接続状態を保持する。
【０００８】
【発明の実施の形態】
以下、この発明の実施の形態について図面を参照して説明する。
図１は、この発明の一実施形態に係るデタッチャブルコネクタの斜視図である。
図１に示すように、このデタッチャブルコネクタは、着脱自在の雄型コネクタ１と雌型コネクタ４とで構成されている。
【０００９】
雄型コネクタ１は、自動車用ステレオの操作パネル部等の基板Ｐに電気的に接続された状態で固定されている。
図２は、雄型コネクタ１の断面図であり、図３は、雄型コネクタ１の平面図である。
図２に示すように、雄型コネクタ１は絶縁性の凸部２を有しており、この凸部２に複数の雄型接触子３が取り付けられている。具体的には、各雄型接触子３の折り曲がった先端部３０が凸部２の溝２０に差し込まれた状態で、各雄型接触子３が凸部２の側面２１の外側に当接され、テール部３１が基板Ｐに半田付け等で接続されている。即ち、各雄型接触子３の大半が凸部２の側面２１に露出した状態で取り付けられている。
このような雄型接触子３は、１６本あり、図３に示すように、凸部２の両側側面２１に交互に８本づつ配されて、互いに干渉しないようになっている。
【００１０】
一方、雌型コネクタ４は、図１に示すように、自動車用ステレオの本体部に孔４１を介してネジ止め固定される絶縁性のハウジング４０と、このハウジング４０に設けられた凹部５と、ＦＰＣ挿入溝６と、１６本の雌型接触子７と、ロック機構８とを有している。
図４は、雌型コネクタ４の断面図であり、図５は、雌型コネクタ４の平面図であり、図６は雌型接触子７の斜視図である。
【００１１】
これらの図に示すように、凹部５は、ハウジング４０の中央部で上方に開口した矩形状の穴であり、雄型コネクタ１の凸部２を嵌合させることができる。また、この凹部５の両側部中央（図５の上，下部中央）には、雄型コネクタ１の係合突起１０と対応した形状の段部５０が凹設され、凸部２を凹部５に嵌めた時に、係合突起１０がこの段部５０に係合して、雄型コネクタ１が位置決めされるようになっている。
【００１２】
ＦＰＣ挿入溝６は、ＦＰＣ３００を挿入するための溝であり、ハウジング４０の正面側（図１，図５の右面側）で開口し、凹部５の下側に通ってハウジング４０の左側奥部に至っている。
【００１３】
雌型接触子７は、先端部を上記凹部５に露出させると共に基部を上記ＦＰＣ挿入溝６に突出させた状態で雌型コネクタ４に取り付けられている。
具体的には、図６に示すように、雌型接触子７は略Ｓ字状の金属製部材であり、その先端部７０側に、第１接触部７１が形成され、基部７３側には、第２接触部７２が形成されている。即ち、雌型接触子７の先端部７０が丸められて第１接触部７１が形成され、雄型コネクタ１の嵌合時に、第１接触部７１が雄型接触子３と滑らかに接触して撓むようになっている。また、第２接触部７２は、平坦な基部７３の側部を下方に折り曲げ、その折曲部を端子状に形成したもので、その先端下側には、突起７２ａが突設されている。
【００１４】
上記のような雌型接触子７は、凹部５の前後に設けられた接触子収納室９に収納されている。
接触子収納室９は、図４及び図７に示すように、側壁９０によって画成され、凹部５側に開く開口９１と、ハウジング４０外方に開く開口９２と、溝９４とを有している。この溝９４は、下側のＦＰＣ挿入溝６と連通するように、底壁９３を切り欠いて形成したものである。
このような接触子収納室９は、図１に示すように、凹部５の両側に８室づつ設けられ、各雌型接触子７が各接触子収納室９に取り付けられている。
具体的には、図４及び図７に示すように、雌型接触子７の第１接触部７１を開口９１から凹部５内に突出させた状態で、基部７３を底壁９３に載置すると共に、第２接触部７２を溝９４に挿入した。
これにより、雌型接触子７の第１接触部７１が凹部５内で露出し、第２接触部７２の突起７２ａがＦＰＣ挿入溝６内に突出した状態になる。
上記のように、雌型接触子７を接触子収納室９に取り付けることで、図５に示すように、雌型接触子７が凹部５の両側に８本ずつ交互に並び、雄型コネクタ１の雄型接触子３の配列に対応する。
【００１５】
図１において、ロック機構８は、ＦＰＣ３００の先端部両側に穿設された一対の孔８０と、雌型コネクタ４のハウジング４０の両側部に形成された一対の舌片８１とで構成されている。
図８は、ロック機構８の舌片８１を示す部分拡大断面図である。
図８に示すように、舌片８１は、ハウジング４０の底部及び後面側に開口する切り欠き部８２内に形成されている。具体的には、切り欠き部８２は、ハウジング４０の両側部であってＦＰＣ挿入溝６が通過する個所に設けられており、舌片８１は、その突起８１ａをＦＰＣ挿入溝６内に位置させた状態で切り欠き部８２の後方に延出している。これにより、ＦＰＣ３００がＦＰＣ挿入溝６内に完全に挿入されると、舌片８１の突起８１ａが孔８０と係合して、ＦＰＣ３００がロックされる。また、舌片８１の端部には、摘み８１ｂが突設され、この摘み８１ｂを持ち上げることで、舌片８１の突起８１ａとＦＰＣ３００の孔８０との係合を解除することができるようになっている。
【００１６】
次に、この実施形態のデタッチャブルコネクタの使用例とその動作について説明する。
まず、図９に示すように、ＦＰＣ３００を雌型コネクタ４のＦＰＣ挿入溝６に挿入していくと、ＦＰＣ３００が雌型接触子７の第２接触部７２の突起７２ａに当たるが、さらに、ＦＰＣ３００を押し込むと、第２接触部７２が持ち上がって、その突起７２ａがＦＰＣ３００の表面に圧接する。この状態で、ＦＰＣ３００をハウジング４０の奥迄に完全に挿入すると、図１０に示すように、雌型接触子７の突起７２ａがＦＰＣ３００の回路トレースの端子部３０１（図１参照）に圧接し、雌型接触子７とＦＰＣ３００とが電気的に接続する。
これと同時に、図８に示すように、ロック機構８が機能して、舌片８１の突起８１ａがＦＰＣ３００の孔８０に係合し、ＦＰＣ３００がロック状態になる。
【００１７】
しかる後、図１１に示すように、雄型コネクタ１を下向にして凸部２を雌型コネクタ４の凹部５内に嵌め込んでいくと、雄型コネクタ１の雄型接触子３と雌型コネクタ４の雌型接触子７とが接触する。かかる状態で、雄型コネクタ１の係合突起１０が凹部５の段部５０に完全に嵌合する迄、凸部２を凹部５内に押し込むと、図１２に示すように、雌型接触子７の第１接触部７１が雄型接触子３に圧接した状態になる。これにより、雌型接触子７と基板Ｐとが雄型接触子３を介して電気的に接続し、この結果、ＦＰＣ３００と基板Ｐとがこのデタッチャブルコネクタを介して電気的に接続した状態になる。
【００１８】
そして、雄型コネクタ１を基板Ｐと一体に図１２の上方に持ち上げることで、ＦＰＣ３００と基板Ｐとの電気的接続を解除することができる。
また、ＦＰＣ３００を差し換える場合には、図８に示すロック機構８の舌片８１のロック機構８１ｂを上方に持ち上げ、突起８１ａと孔８０との係合を解除した状態で、ＦＰＣ３００をＦＰＣ挿入溝６から引き抜いて、ＦＰＣ３００を雌型コネクタ４から取り外す。
【００１９】
【発明の効果】
以上詳しく説明したように、この発明のデタッチャブルコネクタによれば、雄型コネクタの凸部を雌型コネクタの凹部に嵌合させた状態で、ＦＰＣを雌型コネクタのＦＰＣ挿入溝内に挿入するだけで、簡単にＦＰＣと雌型接触子との電気的接続を図ることができ、また、必要に応じて、ＦＰＣをＦＰＣ挿入溝から引き抜くことで、ＦＰＣを雌型コネクタから容易に取り外すことができるという優れた効果がある。
特に、ロック機構を設けることで、外部からの振動が加わった場合においても、ＦＰＣと雌型コネクタとの電気的接続状態を保持することができ、また、一対の舌片を撓ませて、その突起と一対の孔との係合を解除することで、ＦＰＣを簡単に取り外すことができる。
【図面の簡単な説明】
【図１】この発明の一実施形態に係るデタッチャブルコネクタの斜視図である。
【図２】雄型コネクタの断面図である。
【図３】雄型コネクタの平面図である。
【図４】雌型コネクタの断面図である。
【図５】雌型コネクタ平面図である。
【図６】雌型接触子の斜視図である。
【図７】雌型コネクタが接触子収納室に収納された状態を示す斜視図である。
【図８】ロック機構の舌片を示す部分拡大断面図である。
【図９】ＦＰＣをＦＰＣ挿入溝に挿入して状態を示す断面図である。
【図１０】ＦＰＣをＦＰＣ挿入溝に完全に挿入した状態を示す断面図である。
【図１１】雄型コネクタを雌型コネクタに嵌め込む途中状態を示す断面図である。
【図１２】雄型コネクタを雌型コネクタに完全に嵌め込んだ状態を示す断面図である。
【図１３】従来例に係るデタッチャブルコネクタを示す縦断面図である。
【符号の説明】
１…雄型コネクタ、  ２…凸部、  ３…雄型接触子、  ４…雌型コネクタ、  ５…凹部、  ６…ＦＰＣ挿入溝、  ７…雌型接触子、  ８…ロック機構、  ９…接触子収納室、  ２１…側面、  ４０…ハウジング、  ７０…先端部、  ７１…第１接触部、  ７２…第２接触部、  ７２ａ…突起、  ７３…基部、  ８０…孔、  ８１…舌片、  ８１ａ…突起、  ８１ｂ…摘み、  ８２…切り欠き部、  ９０…側壁、  ９１，９２…開口、  ９４…溝、  ３００…ＦＰＣ。
【図１】
2004281109.tif 000003
【図２】
2004281109.tif 000004
【図３】
2004281109.tif 000005
【図４】
2004281109.tif 000006
【図５】
2004281109.tif 000007
【図６】
2004281109.tif 000008
【図７】
2004281109.tif 000009
【図８】
2004281109.tif 000010
【図９】
2004281109.tif 000011
【図１０】
2004281109.tif 000012
【図１１】
2004281109.tif 000013
【図１２】
2004281109.tif 000014
【図１３】
2004281109.tif 000015